(57)【要約】【課題】ＩＰ網において、ファクシミリ通信網サービスの提供を可能にする通信方法および通信システムを提供する。【解決手段】発信端末５ａを収容する加入者サーバ１ａが、ファクシミリ通信網サービスの利用を要求する所定の番号を受信すると、網外ＡＳ３に、ＦＡＸ蓄積装置７のルーチング情報を問い合わせ、ＦＡＸ蓄積装置７を収容する加入者サーバ１ｃへ呼設定信号をルーチングする。呼設定信号を受信した加入者サーバ１ｃは、加入者情報を抽出してサービス利用を確認し、ＦＡＸ蓄積装置７に接続する。ＦＡＸ蓄積装置７は、発信端末５ａからＦＡＸ情報を受信し、サービス契約者の設定に基づき、着信端末にそのＦＡＸ情報を送信する。【選択図】図１
2011244168.tif 000002
【特許請求の範囲】
【請求項１】
発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、前記発側の加入者サーバから前記第１の発呼ＩＰ信号を受信しＦＡＸ蓄積装置に送信する前記ＦＡＸ蓄積装置を収容する加入者サーバと、前記発信端末からＦＡＸ情報を受信して蓄積する前記ＦＡＸ蓄積装置と、前記ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを備え、前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、
前記発側の加入者サーバは、
前記ＦＡＸ蓄積装置の着信番号を示すルーチング情報を記憶する記憶部を備え、
前記発信端末から発信され前記発側のＩＰ変換装置によりプロトコル変換された前記第１の発呼ＩＰ信号を受信し、
前記第１の発呼ＩＰ信号に前記ＦＡＸ通信網サービスの利用を示す所定の信号が付されている場合に、前記ＦＡＸ蓄積装置の前記ルーチング情報を前記記憶部から抽出し、
前記抽出したルーチング情報を用いて、前記第１の発呼ＩＰ信号を、前記ＦＡＸ蓄積装置を収容する加入者サーバに送信し、
前記ＦＡＸ蓄積装置を収容する加入者サーバは、
前記ＦＡＸ通信網サービスの利用契約を結んでいる前記発信端末の発信端末番号が登録された加入者情報を記憶する記憶部を備え、
前記第１の発呼ＩＰ信号を受信すると、前記第１の発呼信号を発信した前記発信端末の発信端末番号が、前記加入者情報に登録されているか否かを判定し、
前記発信端末の発信端末番号が、前記加入者情報に登録されている場合に、前記第１の発呼ＩＰ信号を、前記ＦＡＸ蓄積装置に送信し、
前記ＦＡＸ蓄積装置は、
前記第１の発呼ＩＰ信号を受信し、前記第１の発呼ＩＰ信号に着信端末番号が付されている場合に、当該着信端末番号を、前記ＦＡＸ情報の送信先となる前記着信端末の着信端末番号に設定し、
前記発信端末から前記ＦＡＸ情報を受信し、当該ＦＡＸ蓄積装置の記憶部に記憶し、
前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、
前記着信端末は、
前記着側のＩＰ変換装置によりプロトコル変換された前記第２の発呼信号を受信して、前記ＦＡＸ蓄積装置の前記記憶部に記憶された前記ＦＡＸ情報を取得すること
を特徴とする通信方法。
【請求項２】
発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、前記発側の加入者サーバと接続され網外アプリケーションサーバからＦＡＸ蓄積装置の着信番号を示すルーチング情報を取得する網内アプリケーションサーバと、前記ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを、通信事業者網に備え、
前記ＦＡＸ蓄積装置の前記ルーチング情報を記憶する前記網外アプリケーションサーバと、前記第１の発呼ＩＰ信号を受信しＦＡＸ蓄積装置に送信する前記ＦＡＸ蓄積装置を収容する加入者サーバと、前記発信端末からＦＡＸ情報を受信して蓄積する前記ＦＡＸ蓄積装置とを、サービス提供事業者網に備え、
前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、
前記発側の加入者サーバは、
前記発信端末から発信され前記発側のＩＰ変換装置によりプロトコル変換された前記第１の発呼ＩＰ信号を受信し、
前記第１の発呼ＩＰ信号に前記ＦＡＸ通信網サービスの利用を示す所定の信号が付されている場合に、前記第１の発呼ＩＰ信号を前記網内アプリケーションサーバに送信し、
前記網内アプリケーションサーバは、
前記第１の発呼信号を受信すると、前記網外アプリケーションサーバに前記ＦＡＸ蓄積装置のルーチング情報の取得要求を送信し、
前記網外アプリケーションサーバは、
前記ＦＡＸ蓄積装置の前記ルーチング情報を記憶する記憶部を備え、
前記ルーチング情報の取得要求を受信すると、前記記憶部から前記ＦＡＸ蓄積装置のルーチング情報を抽出して前記網内アプリケーションサーバに送信し、
前記網内アプリケーションサーバは、
前記ルーチング情報に基づき、前記第１の発呼ＩＰ信号を、前記ＦＡＸ蓄積装置を収容する加入者サーバに送信し、
前記ＦＡＸ蓄積装置を収容する加入者サーバは、
前記ＦＡＸ通信網サービスの利用契約を結んでいる前記発信端末の発信端末番号が登録された加入者情報を記憶する記憶部を備え、
前記第１の発呼ＩＰ信号を受信すると、前記第１の発呼信号を発信した前記発信端末の発信端末番号が、前記加入者情報に登録されているか否かを判定し、
前記発信端末の発信端末番号が、前記加入者情報に登録されている場合に、前記第１の発呼ＩＰ信号を、前記ＦＡＸ蓄積装置に送信し、
前記ＦＡＸ蓄積装置は、
前記第１の発呼ＩＰ信号に着信端末番号が付されている場合に、当該着信端末番号を、前記ＦＡＸ情報の送信先となる前記着信端末の着信端末番号に設定し、
前記発信端末から前記ＦＡＸ情報を受信し、当該ＦＡＸ蓄積装置の記憶部に記憶し、
前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、
前記着信端末は、
前記着側のＩＰ変換装置によりプロトコル変換された前記第２の発呼信号を受信して、前記ＦＡＸ蓄積装置の前記記憶部に記憶された前記ＦＡＸ情報を取得すること
を特徴とする通信方法。
【請求項３】
発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを、通信事業者網に備え、
前記第１の発呼ＩＰ信号を受信し、網外アプリケーションサーバから前記ＦＡＸ蓄積装置の着信番号を示すルーチング情報を取得する中継サーバと、前記ＦＡＸ蓄積装置の前記ルーチング情報を記憶する前記網外アプリケーションサーバと、前記中継サーバから前記第１の発呼ＩＰ信号を受信し前記ＦＡＸ蓄積装置に送信する前記ＦＡＸ蓄積装置を収容する加入者サーバと、前記発信端末からＦＡＸ情報を受信して蓄積する前記ＦＡＸ蓄積装置とを、サービス提供事業者網に備え、
前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、
前記発側の加入者サーバは、
前記発信端末から発信され前記発側のＩＰ変換装置によりプロトコル変換された前記第１の発呼ＩＰ信号を受信し、
前記第１の発呼ＩＰ信号に前記ＦＡＸ通信網サービスの利用を示す所定の信号が付されている場合に、前記第１の発呼ＩＰ信号を、前記サービス提供事業者網の前記中継サーバに送信し、
前記中継サーバは、
前記第１の発呼ＩＰ信号に前記所定の信号が付されている場合に、前記網外アプリケーションサーバに前記ＦＡＸ蓄積装置のルーチング情報の取得要求を送信し、
前記網外アプリケーションサーバは、
前記ＦＡＸ蓄積装置の前記ルーチング情報を記憶する記憶部を備え、
前記ルーチング情報の取得要求を受信すると、前記記憶部から前記ＦＡＸ蓄積装置のルーチング情報を抽出して前記中継サーバに送信し、
前記中継サーバは、
前記ルーチング情報に基づき、前記第１の発呼ＩＰ信号を、前記ＦＡＸ蓄積装置を収容する加入者サーバに送信し、
前記ＦＡＸ蓄積装置を収容する加入者サーバは、
前記ＦＡＸ通信網サービスの利用契約を結んでいる前記発信端末の発信端末番号が登録された加入者情報を記憶する記憶部を備え、
前記第１の発呼ＩＰ信号を受信すると、前記第１の発呼信号を送信した前記発信端末の発信端末番号が、前記加入者情報に登録されているか否かを判定し、
前記発信端末の発信端末番号が、前記加入者情報に登録されている場合に、前記第１の発呼ＩＰ信号を、前記ＦＡＸ蓄積装置に送信し、
前記ＦＡＸ蓄積装置は、
前記第１の発呼ＩＰ信号に着信端末番号が付されている場合に、当該着信端末番号を、前記ＦＡＸ情報の送信先となる前記着信端末の着信端末番号に設定し、
前記発信端末からＦＡＸ情報を受信し、当該ＦＡＸ蓄積装置の記憶部に記憶し、
前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、
前記着信端末は、
前記着側のＩＰ変換装置によりプロトコル変換された前記第２の発呼信号を受信して、前記ＦＡＸ蓄積装置の前記記憶部に記憶された前記ＦＡＸ情報を取得すること
を特徴とする通信方法。
【請求項４】
前記ＦＡＸ蓄積装置は、
前記第１の発呼ＩＰ信号に前記着信端末番号が付されていない場合に、
前記発信端末に前記着信端末番号の設定を促すガイダンスを出力し、前記ガイダンスにしたがい、前記発信端末から入力された前記着信端末番号、または、前記ＦＡＸ蓄積装置の記憶部に予め登録された着信端末番号を用いて、前記ＦＡＸ情報の送信先となる前記着信端末の着信端末番号を設定すること
を特徴とする請求項１ないし請求項３のいずれか１項に記載の通信方法。
【請求項５】
前記通信事業者網内に、前記ＩＰ網とＰＳＴＮとを備え、
前記ＦＡＸ蓄積装置からの前記ＦＡＸ情報の送信先となる前記着信端末が、前記通信事業者網の前記ＰＳＴＮに収容される場合に、
前記通信事業者網のＩＰ網内に、前記ＰＳＴＮに収容される前記着信端末の収容先情報を記憶する管理元加入者サーバと、前記ＩＰ網と前記ＰＳＴＮとを接続する関門中継サーバとを備え、
前記通信事業者網のＰＳＴＮ内に、前記ＦＡＸ情報を受信する着信端末と、当該着信端末を収容する着側の加入者交換機とを、さらに備え、
前記通信事業者網のＩＰ網に収容される前記着信端末の代わりに、前記通信事業者網のＰＳＴＮに収容される着信端末に、前記ＦＡＸ蓄積装置からの前記ＦＡＸ情報を送信する通信システムに用いられる通信方法であって、
前記ＦＡＸ蓄積装置は、
前記設定した着信端末の着信端末番号に基づき、前記第２の発呼ＩＰ信号を、前記ＦＡＸ蓄積装置を収容する加入者サーバ、および前記関門中継サーバを介して、前記管理元加入者サーバに送信し、
前記管理元加入者サーバは、
前記通信事業者網のＰＳＴＮ内の前記着信端末の収容先情報を記憶する記憶部を備え、
前記第２の発呼ＩＰ信号を受信すると、当該記憶部から前記着信端末の収容先情報を抽出して、前記関門中継サーバに送信し、
前記関門中継サーバは、
前記収容先情報に基づき、前記第２の発呼ＩＰ信号を、前記ＰＳＴＮで用いられる前記第２の発呼信号にプロトコル変換して、前記着側の加入者交換機を介して、前記ＰＳＴＮに収容される着信端末に送信し、
前記ＰＳＴＮに収容される着信端末は、
前記第２の発呼信号を受信して、前記ＦＡＸ蓄積装置の前記記憶部に記憶された前記ＦＡＸ情報を取得すること
を特徴とする請求項２または請求項３に記載の通信方法。
【請求項６】
前記通信事業者網内に、前記ＩＰ網とＰＳＴＮとを備え、
前記ＦＡＸ蓄積装置からの前記ＦＡＸ情報の送信先となる前記着信端末が、前記通信事業者網のＰＳＴＮに収容される場合に、
前記通信事業者網のＩＰ網内に、前記ＰＳＴＮに収容される前記着信端末の収容先情報を記憶する管理元加入者サーバを備え、
前記サービス提供事業者網のＩＰ網内に、前記ＦＡＸ蓄積装置を収容する加入者サーバと前記管理元加入者サーバとを接続する転送中継サーバを備え、
前記通信事業者網のＰＳＴＮ内に、前記ＦＡＸ情報を受信する着信端末、当該着信端末を収容する着側の加入者交換機、および、前記転送中継サーバと前記着側の加入者交換機とを接続する関門中継サーバを、さらに備え、
前記通信事業者網のＩＰ網に収容される前記着信端末の代わりに、前記通信事業者網のＰＳＴＮに収容される前記着信端末に、前記ＦＡＸ蓄積装置からの前記ＦＡＸ情報を送信する通信システムに用いられる通信方法であって、
前記ＦＡＸ蓄積装置は、
前記設定した着信端末の着信端末番号に基づき、前記第２の発呼ＩＰ信号を、前記ＦＡＸ蓄積装置を収容する加入者サーバ、および前記転送中継サーバを介して、前記管理元加入者サーバに送信し、
前記管理元加入者サーバは、
前記通信事業者網のＰＳＴＮ内の前記着信端末の収容先情報を記憶する記憶部を備え、
前記第２の発呼ＩＰ信号を受信すると、当該記憶部から前記着信端末の収容先情報を抽出して前記転送中継サーバに送信し、
前記転送中継サーバは、
前記収容先情報に基づき、前記第２の発呼ＩＰ信号を、前記ＰＳＴＮ内の前記関門中継サーバに送信し、
前記関門中継サーバは、
前記第２の発呼ＩＰ信号を、前記ＰＳＴＮで用いられる前記第２の発呼信号にプロトコル変換して、前記着側の加入者交換機を介して、前記ＰＳＴＮに収容される着信端末に送信し、
前記ＰＳＴＮに収容される着信端末は、
前記第２の発呼信号を受信して、前記ＦＡＸ蓄積装置の前記記憶部に記憶された前記ＦＡＸ情報を取得すること
を特徴とする請求項２または請求項３に記載の通信方法。
【請求項７】
サービス提供事業者網がＰＳＴＮで構築され、当該ＰＳＴＮ内に、発信端末からのＦＡＸ情報を受信し予め蓄積しておくＦＡＸ蓄積装置と、前記ＦＡＸ蓄積装置を収容する加入者サーバとを備え、
通信事業者網が、前記ＰＳＴＮとＩＰ網とで構築され、
前記通信事業者網のＰＳＴＮ内に、前記通信事業者網の前記ＩＰ網に収容される着信端末の収容先情報が記憶された記憶部を有する管理元加入者交換機を備え、
前記通信事業者網のＩＰ網内に、当該ＩＰ網に収容される着信端末、前記着信端末を収容する着側のＩＰ変換装置、前記ＦＡＸ蓄積装置からの発呼信号を前記着側のＩＰ変換装置に送信する着側の加入者サーバ、および前記管理元加入者交換機と前記着側の加入者サーバとを接続する関門中継サーバを備え、
前記通信事業者網の前記ＩＰ網に収容される着信端末に、前記サービス提供事業者網のＰＳＴＮに収容される前記ＦＡＸ蓄積装置からの前記ＦＡＸ情報を送信するＦＡＸ通信網サービスを提供する通信システムに用いられる通信方法であって、
前記ＦＡＸ蓄積装置は、
前記発呼信号を、前記ＦＡＸ蓄積装置を収容するサービス提供事業者交換機を介して、前記管理元加入者交換機に送信し、
前記管理元加入者交換機は、
前記発呼信号を受信すると、前記記憶部から前記着信端末の収容先情報を抽出して、前記収容先情報に基づき、前記発呼信号を、前記通信事業者網のＩＰ網内の関門中継サーバに送信し、
前記関門中継サーバは、
前記発呼信号を、ＩＰ網で用いられる発呼ＩＰ信号にプロトコル変換して、前記着側の加入者サーバに送信し、
前記着側の加入者サーバは、
前記発呼ＩＰ信号を、前記着側のＩＰ変換装置を介して前記ＩＰ網に収容される着信端末に送信し、
前記ＩＰ網に収容される着信端末は、
前記着側のＩＰ変換装置によりプロトコル変換された前記発呼信号を受信して、前記ＦＡＸ蓄積装置の前記記憶部に記憶された前記ＦＡＸ情報を取得すること
を特徴とする通信方法。
【請求項８】
サービス提供事業者網がＰＳＴＮで構築され、当該ＰＳＴＮ内に、発信端末からのＦＡＸ情報を受信し予め蓄積しておくＦＡＸ蓄積装置と、前記ＦＡＸ蓄積装置を収容する加入者サーバとを備え、
通信事業者網が、前記ＰＳＴＮとＩＰ網とで構築され、
前記通信事業者網のＰＳＴＮ内に、前記通信事業者網の前記ＩＰ網に収容される着信端末の収容先情報が記憶された記憶部を有する管理元加入者交換機を備え、
前記通信事業者網のＩＰ網内に、当該ＩＰ網に収容される着信端末、前記着信端末を収容する着側のＩＰ変換装置、前記ＦＡＸ蓄積装置からの発呼信号を前記着側のＩＰ変換装置に送信する着側の加入者サーバ、および前記管理元加入者交換機と前記着側の加入者サーバとを接続する関門中継サーバを備え、
前記通信事業者網の前記ＩＰ網に収容される着信端末に、前記サービス提供事業者網のＰＳＴＮに収容される前記ＦＡＸ蓄積装置からの前記ＦＡＸ情報を送信するＦＡＸ通信網サービスを提供する通信システムに用いられる通信方法であって、
前記ＦＡＸ蓄積装置は、
前記発呼信号を、前記ＦＡＸ蓄積装置を収容するサービス提供事業者交換機を介して、前記管理元加入者交換機に送信し、
前記管理元加入者交換機は、
前記発呼信号を受信すると、前記記憶部から前記着信端末の収容先情報を抽出して、前記サービス提供事業者交換機に送信し、
前記サービス提供事業者交換機は、
前記収容先情報に基づき、前記発呼信号を、前記通信事業者網の前記ＩＰ網内の関門中継サーバに送信し、
前記関門中継サーバは、
前記発呼信号を、ＩＰ網で用いられる発呼ＩＰ信号にプロトコル変換して、前記着側の加入者サーバに送信し、
前記着側の加入者サーバは、
前記発呼ＩＰ信号を、前記着側のＩＰ変換装置を介して前記ＩＰ網に収容される着信端末に送信し、
前記ＩＰ網に収容される着信端末は、
前記着側のＩＰ変換装置によりプロトコル変換された前記発呼信号を受信して、前記ＦＡＸ蓄積装置の前記記憶部に記憶された前記ＦＡＸ情報を取得すること
を特徴とする通信方法。
【請求項９】
発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、前記発側の加入者サーバから前記第１の発呼ＩＰ信号を受信しＦＡＸ蓄積装置に送信する前記ＦＡＸ蓄積装置を収容する加入者サーバと、前記発信端末からＦＡＸ情報を受信して蓄積する前記ＦＡＸ蓄積装置と、前記ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを備え、前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムであって、
前記発側の加入者サーバは、
前記ＦＡＸ蓄積装置の着信番号を示すルーチング情報を記憶する記憶部と、
前記発信端末から発信され前記発側のＩＰ変換装置によりプロトコル変換された前記第１の発呼ＩＰ信号を受信し、前記第１の発呼ＩＰ信号に前記ＦＡＸ通信網サービスの利用を示す所定の信号が付されているか否かを判定するサービス判定部と、
前記サービス判定部が、前記所定の信号が付されていると判定した場合に、前記ＦＡＸ蓄積装置の前記ルーチング情報を前記記憶部から抽出する接続先抽出部と、
前記接続先抽出部が抽出したルーチング情報を用いて、前記第１の発呼ＩＰ信号を、前記ＦＡＸ蓄積装置を収容する加入者サーバに送信する第１の呼接続制御部と、を備え、
前記ＦＡＸ蓄積装置を収容する加入者サーバは、
前記ＦＡＸ通信網サービスの利用契約を結んでいる前記発信端末の発信端末番号が登録された加入者情報を記憶する記憶部と、
前記第１の発呼ＩＰ信号を受信すると、前記第１の発呼信号を発信した前記発信端末の発信端末番号が、前記加入者情報に登録されているか否かを判定する加入者判定部と、
前記加入者判定部が、前記発信端末の発信端末番号が前記加入者情報に登録されていると判定した場合に、前記第１の発呼ＩＰ信号を、前記ＦＡＸ蓄積装置に送信する第２の呼接続制御部と、を備え、
前記ＦＡＸ蓄積装置は、
前記第１の発呼ＩＰ信号を受信し、前記第１の発呼ＩＰ信号に着信端末番号が付されている場合に、当該着信端末番号を、前記ＦＡＸ情報の送信先となる前記着信端末の着信端末番号に設定する着信端末情報取得部と、
前記発信端末から前記ＦＡＸ情報を受信し、当該ＦＡＸ蓄積装置の記憶部に記憶するＦＡＸ情報受信処理部と、
前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信するＦＡＸ情報送信制御部と、を備え、
前記着信端末は、
前記着側のＩＰ変換装置によりプロトコル変換された前記第２の発呼信号を受信して、前記ＦＡＸ蓄積装置の前記記憶部に記憶された前記ＦＡＸ情報を取得する送受信部を備えること
を特徴とする通信システム。
【発明の詳細な説明】
【技術分野】
【０００１】
本発明は、ＩＰ（Internet Protocol）網において、ファクシミリ（ＦＡＸ）通信網サービスを提供する技術に関する。
【背景技術】
【０００２】
従来の公衆電話網（レガシーネットワーク）（ＰＳＴＮ：Public Switched Telephone Network）における既存電話サービスである、ファクシミリ通信網サービスとは、ファクシミリ通信契約を結んでいるユーザの発信端末から、ファクシミリ通信網サービスの利用を示す所定の番号（１ＸＹ，００ＸＹ等）のダイヤルがされると、サービス制御装置にアクセスを行い、そのサービス制御装置からの指示にしたがって、ＦＡＸ蓄積装置に接続し、ＦＡＸ情報を一旦、ＦＡＸ蓄積装置に蓄積する。その後、指定時間、同報、無鳴動等の制御を行い、着信端末に、蓄積されたＦＡＸ情報を送信するサービスである（非特許文献１参照）。
【０００３】
このＰＳＴＮでのファクシミリ通信網サービスは、発信端末からの所定の番号（１ＸＹ，００ＸＹ等）のダイヤルにより、発側の加入者交換機（ＧＣ：Group unit Center）が本サービスの利用の要求を判定し（サービス判定機能）、サービス制御装置にＦＡＸ蓄積装置へのルーチング情報を問い合わせて呼設定信号（発呼信号）を転送する（ＦＡＸ蓄積装置への転送機能）。呼設定信号を受信したサービス提供事業者交換機がサービス利用の加入者判定を行い（加入者判定機能）、ＦＡＸ蓄積装置に転送して、ＦＡＸ蓄積装置が、ＦＡＸ情報の蓄積と、ＦＡＸ情報の着信端末への送信制御を行うことで実現される。以下、サービス契約者の端末（発信端末）からＦＡＸ情報を蓄積するためのＦＡＸ蓄積装置への接続処理、およびＦＡＸ蓄積装置から着信端末へのＦＡＸ情報の送信処理について具体的に説明する。
【０００４】
（ＦＡＸ蓄積装置への接続処理）
図１５は、従来のＰＳＴＮにおけるファクシミリ通信網サービスのシステム構成およびＦＡＸ蓄積装置７への接続処理の説明図である。以下、ＦＡＸ蓄積装置７にＦＡＸ情報を蓄積するための接続処理について説明する。
【０００５】
なお、発信端末５（５ａ）から、本ファクシミリ通信網サービスを利用するために、所定の番号（１ＸＹ，００ＸＹ等）をダイヤルする際に、ＦＡＸ情報の送信先である着信端末５（５ｂ）（後記する図１６参照）の着信端末番号を指定する方法として２つの方式がある。
（Ａ方式）所定の番号（１ＸＹ，００ＸＹ等）に続けて着信端末５ｂの着信端末番号をダイヤルする。つまり、サービスの利用を要求する最初のダイヤルで、所定の番号＋着信端末番号（０Ａ〜Ｊ）を指定する。この場合、着信端末番号はＦＡＸ情報を送信する１つの着信端末５ｂについて指定することができる。
（Ｂ方式）所定の番号（１ＸＹ，００ＸＹ等）のみをダイヤルする。そして、着信端末５ｂの指定を、ＦＡＸ蓄積装置７に接続してから、ガイダンス（ユーザにダイヤルを促す信号等）にしたがい行う。具体的には、ＦＡＸ蓄積装置７に接続した後に、ガイダンスにしたがい、事前にＦＡＸ蓄積装置７に登録した１つ以上の着信端末５ｂの着信端末番号にＦＡＸ情報を一斉に送信するように指定したり（同報）、１つ以上の着信端末５ｂの着信端末番号を入力して指定したりする。
まず、（Ａ方式）の着信端末５ｂの指定方法を用いたＦＡＸ蓄積装置への接続処理について説明し、その後、（Ａ方式）との相違点について（Ｂ方式）を用いた処理について説明する。
【０００６】
（１）発信端末５ａからファクシミリ通信網サービスの利用を要求する所定の番号（１ＸＹ，００ＸＹ等）および着信端末番号が発信されることにより、通信事業者網のＧＣ（加入者交換機）（発）１０（１０ａ）は、その呼設定信号（発信信号）を受信する。
（２）ＧＣ（発）１０ａは、所定の番号（１ＸＹ，００ＸＹ等）により、本ファクシミリ通信網サービスの利用要求と判定し、サービス制御装置３０にアクセスし、アクセス先であるＦＡＸ蓄積装置７へのルーチング情報（ＦＡＸ蓄積装置７の着信番号等）を問い合わせる。
（３）サービス制御装置３０は、問い合わせをしたＧＣ（発）１０ａに対し、ルーチング情報を送信（ルーチング）する。
（４）ＧＣ（発）１０ａは、ルーチング情報を用いて、中継交換機（ＩＣ：Intra-zone Center）６０を介して、サービス提供事業者網のサービス提供事業者交換機７０へ呼設定信号を送信する。このとき、ＦＡＸ蓄積装置７の着信番号、所定の番号（１ＸＹ，００ＸＹ等）、および着信端末番号を、呼設定信号に付して送信する。
（５）呼設定信号を受信したサービス提供事業者交換機７０は、ファクシミリ通信網サービスの加入者判定を行う。具体的には、呼設定信号を発信した発信端末５ａの発信端末番号がサービス提供事業者交換機７０に記憶された加入者情報にサービス契約者として登録されており、サービス利用可の状態であるか等を確認する。
（６）次に、サービス提供事業者交換機７０は、サービス利用可と判定すると、ＦＡＸ蓄積装置７との接続を行う。
（７）そして、発信端末５ａからＦＡＸ蓄積装置７へ、ＦＡＸ情報が送信される。ＦＡＸ情報の送信が終わると、切断処理が行われ、通信終了となる。
【０００７】
（Ｂ方式）の着信端末５ｂの指定方法の場合は、ステップ（１）において、発信端末５ａから、ファクシミリ通信網サービスの利用を示す所定の番号（１ＸＹ，００ＸＹ等）のみが受信される。
そして、ステップ（４）において、ルーチング情報を取得したＧＣ(発)１０ａは、サービス提供事業者交換機７０へ、ＦＡＸ蓄積装置７の着信番号および所定の番号（１ＸＹ，００ＸＹ等）を付した呼設定信号を送信する。
続いて、ステップ（６）において、ＦＡＸ蓄積装置７との接続が行われた後、ステップ（７）において、ＦＡＸ蓄積装置７が、発信端末５ａに対して後続ダイヤル（例えば、登録した着信端末番号の指定や、着信端末番号のダイヤル入力等）をガイダンス（ユーザにダイヤルを促す信号等）により要求する。そして、発信端末５ａから、ガイダンスに応じた後続ダイヤルが発信された後に、ＦＡＸ情報がＦＡＸ蓄積装置７へ送信される。
【０００８】
このようにすることで、発信端末５ａからのＦＡＸ情報のＦＡＸ蓄積装置７への登録が行われる。
【０００９】
（ＦＡＸ蓄積装置からのＦＡＸ情報送信処理）
図１６は、従来のＰＳＴＮのファクシミリ通信網サービスにおける、ＦＡＸ蓄積装置７からのＦＡＸ情報送信処理の説明図である。以下、ＦＡＸ蓄積装置７から着信端末５ｂへのＦＡＸ情報の送信処理について説明する。
【００１０】
（１）ＦＡＸ蓄積装置７から、発信端末５ａにより指定された着信端末５ｂを収容するＧＣ（着）１０（１０ｂ）に、サービス提供事業者交換機７０、ＩＣ６０を介して接続が行われる。
なお、ここで、（Ａ方式）において着信端末５ｂが指定された場合は、呼設定信号に付された着信端末番号の着信端末５ｂを収容するＧＣ（着）１０ｂに接続される。また、（Ｂ方式）において着信端末５ｂが指定された場合は、ＦＡＸ蓄積装置７との接続が行われた後、後続ダイヤルで指定された着信端末番号の着信端末５ｂを収容するＧＣ（着）１０ｂに接続される。
（２）ＧＣ（着）１０ｂは、受信した呼設定信号に、無鳴動着信指示が付されていれば、無鳴動で着信端末５ｂに着信する。
（３）そして、ＦＡＸ蓄積装置７から、着信端末５ｂへ、ＦＡＸ情報が送信される。ＦＡＸ情報の送信が終わると、切断処理が行われ、通信終了となる。
【００１１】
このようにすることで、ＦＡＸ蓄積装置７に蓄積されたＦＡＸ情報を、着信端末５ｂへ送信することができる。
【先行技術文献】
【非特許文献】
【００１２】
【非特許文献１】ＮＴＴ技術資料館、「Ｆネット（ファクシミリ通信網サービス）」、［online］、［平成２２年４月３０日検索］、インターネット＜URL： http://www.hct.ecl.ntt.co.jp/library/H2/400.html＞
【発明の概要】
【発明が解決しようとする課題】
【００１３】
前記したように、従来の公衆回線網（ＰＳＴＮ）において、ファクシミリ通信網サービスを実現するためには、サービス判定機能をＧＣ（加入者交換機）（発）１０ａが備え、ＦＡＸ蓄積装置７への転送機能をサービス制御装置３０が備え、加入者判定機能をサービス提供事業者交換機７０が備え、ＦＡＸ情報の蓄積とＦＡＸ情報の送信制御機能をＦＡＸ蓄積装置７が備えていた。一方、ＩＰ網では、従来ＧＣ１０が備えていた呼制御機能と音声信号の送受信機能とが、それぞれ別々の装置に配備されるため基本アーキテクチャがＰＳＴＮとは異なる。したがって、ＩＰ網において、ファクシミリ通信網サービスを提供しようとした場合、ＩＰ網に収容される発信端末５ａからのＦＡＸ蓄積装置７への接続、および、ＦＡＸ蓄積装置７からＩＰ網に収容される着信端末５ｂへの接続を行う仕組みがなく、ファクシミリ通信網サービスを実現できない。
また、既存のＰＳＴＮとＩＰ網とが共存する場合においても、ＰＳＴＮ収容の端末とＩＰ網収容の端末とをシームレスにサービス提供する必要がある。
【００１４】
このような背景に鑑みて、本発明がなされたのであり、本発明は、ＩＰ網においてファクシミリ通信網サービスを提供することができる通信方法および通信システムを提供することを課題とする。
【課題を解決するための手段】
【００１５】
前記課題を解決するために、本発明は、発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、前記発側の加入者サーバから前記第１の発呼ＩＰ信号を受信しＦＡＸ蓄積装置に送信する前記ＦＡＸ蓄積装置を収容する加入者サーバと、前記発信端末からＦＡＸ情報を受信して蓄積する前記ＦＡＸ蓄積装置と、前記ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを備え、前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、前記発側の加入者サーバが、前記ＦＡＸ蓄積装置の着信番号を示すルーチング情報を記憶する記憶部を備え、前記発信端末から発信され前記発側のＩＰ変換装置によりプロトコル変換された前記第１の発呼ＩＰ信号を受信し、前記第１の発呼ＩＰ信号に前記ＦＡＸ通信網サービスの利用を示す所定の信号が付されている場合に、前記ＦＡＸ蓄積装置の前記ルーチング情報を前記記憶部から抽出し、前記抽出したルーチング情報を用いて、前記第１の発呼ＩＰ信号を、前記ＦＡＸ蓄積装置を収容する加入者サーバに送信し、前記ＦＡＸ蓄積装置を収容する加入者サーバが、前記ＦＡＸ通信網サービスの利用契約を結んでいる前記発信端末の発信端末番号が登録された加入者情報を記憶する記憶部を備え、前記第１の発呼ＩＰ信号を受信すると、前記第１の発呼信号を発信した前記発信端末の発信端末番号が、前記加入者情報に登録されているか否かを判定し、前記発信端末の発信端末番号が、前記加入者情報に登録されている場合に、前記第１の発呼ＩＰ信号を、前記ＦＡＸ蓄積装置に送信し、前記ＦＡＸ蓄積装置が、前記第１の発呼ＩＰ信号を受信し、前記第１の発呼ＩＰ信号に着信端末番号が付されている場合に、当該着信端末番号を、前記ＦＡＸ情報の送信先となる前記着信端末の着信端末番号に設定し、前記発信端末から前記ＦＡＸ情報を受信し、当該ＦＡＸ蓄積装置の記憶部に記憶し、前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、前記着信端末が、前記着側のＩＰ変換装置によりプロトコル変換された前記第２の発呼信号を受信して、前記ＦＡＸ蓄積装置の前記記憶部に記憶された前記ＦＡＸ情報を取得することを特徴とする通信方法とした。
【００１６】
このようにすることで、ＩＰ網において、ファクシミリ通信網サービスを提供する通信方法を提供することができる。特に、通信事業者自身が単独でＩＰ網においてファクシミリ通信網サービスを提供する場合に、ファクシミリ通信網サービスと提供することが可能となる。
【００１７】
また、本発明は、発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、前記発側の加入者サーバと接続され網外アプリケーションサーバからＦＡＸ蓄積装置の着信番号を示すルーチング情報を取得する網内アプリケーションサーバと、前記ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを、通信事業者網に備え、前記ＦＡＸ蓄積装置の前記ルーチング情報を記憶する前記網外アプリケーションサーバと、前記第１の発呼ＩＰ信号を受信しＦＡＸ蓄積装置に送信する前記ＦＡＸ蓄積装置を収容する加入者サーバと、前記発信端末からＦＡＸ情報を受信して蓄積する前記ＦＡＸ蓄積装置とを、サービス提供事業者網に備え、前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、前記発側の加入者サーバが、前記発信端末から発信され前記発側のＩＰ変換装置によりプロトコル変換された前記第１の発呼ＩＰ信号を受信し、前記第１の発呼ＩＰ信号に前記ＦＡＸ通信網サービスの利用を示す所定の信号が付されている場合に、前記第１の発呼ＩＰ信号を前記網内アプリケーションサーバに送信し、前記網内アプリケーションサーバが、前記第１の発呼信号を受信すると、前記網外アプリケーションサーバに前記ＦＡＸ蓄積装置のルーチング情報の取得要求を送信し、前記網外アプリケーションサーバが、前記ＦＡＸ蓄積装置の前記ルーチング情報を記憶する記憶部を備え、前記ルーチング情報の取得要求を受信すると、前記記憶部から前記ＦＡＸ蓄積装置のルーチング情報を抽出して前記網内アプリケーションサーバに送信し、前記網内アプリケーションサーバが、前記ルーチング情報に基づき、前記第１の発呼ＩＰ信号を、前記ＦＡＸ蓄積装置を収容する加入者サーバに送信し、前記ＦＡＸ蓄積装置を収容する加入者サーバが、前記ＦＡＸ通信網サービスの利用契約を結んでいる前記発信端末の発信端末番号が登録された加入者情報を記憶する記憶部を備え、前記第１の発呼ＩＰ信号を受信すると、前記第１の発呼信号を発信した前記発信端末の発信端末番号が、前記加入者情報に登録されているか否かを判定し、前記発信端末の発信端末番号が、前記加入者情報に登録されている場合に、前記第１の発呼ＩＰ信号を、前記ＦＡＸ蓄積装置に送信し、前記ＦＡＸ蓄積装置が、前記第１の発呼ＩＰ信号に着信端末番号が付されている場合に、当該着信端末番号を、前記ＦＡＸ情報の送信先となる前記着信端末の着信端末番号に設定し、前記発信端末から前記ＦＡＸ情報を受信し、当該ＦＡＸ蓄積装置の記憶部に記憶し、前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、前記着信端末が、前記着側のＩＰ変換装置によりプロトコル変換された前記第２の発呼信号を受信して、前記ＦＡＸ蓄積装置の前記記憶部に記憶された前記ＦＡＸ情報を取得することを特徴とする通信方法とした。
【００１８】
このようにすることで、ＩＰ網において、ファクシミリ通信網サービスを提供する通信方法を提供することができる。特に、発信端末が通信事業者のＩＰ網に収容され、ＦＡＸ蓄積装置がサービス提供事業者のＩＰ網に収容される場合に、通信事業者のＩＰ網内に設けられた網内アプリケーションサーバを介して、網外アプリケーションサーバからＦＡＸ蓄積装置のルーチング情報を発側の加入者サーバが取得し、そのルーチング情報に基づき、発呼信号をＦＡＸ蓄積装置に向けて送信することができる。
【００１９】
また、本発明は、発信端末からの第１の発呼信号を、ＩＰ網上で用いられる第１の発呼ＩＰ信号にプロトコル変換する発側のＩＰ変換装置と、前記発側のＩＰ変換装置を収容し前記第１の発呼ＩＰ信号の呼制御を行う発側の加入者サーバと、ＦＡＸ蓄積装置からの第２の発呼ＩＰ信号を受信する着側の加入者サーバと、前記着側の加入者サーバから着側のＩＰ変換装置を介してプロトコル変換された第２の発呼信号を受信する着信端末とを、通信事業者網に備え、前記第１の発呼ＩＰ信号を受信し、網外アプリケーションサーバから前記ＦＡＸ蓄積装置の着信番号を示すルーチング情報を取得する中継サーバと、前記ＦＡＸ蓄積装置の前記ルーチング情報を記憶する前記網外アプリケーションサーバと、前記中継サーバから前記第１の発呼ＩＰ信号を受信し前記ＦＡＸ蓄積装置に送信する前記ＦＡＸ蓄積装置を収容する加入者サーバと、前記発信端末からＦＡＸ情報を受信して蓄積する前記ＦＡＸ蓄積装置とを、サービス提供事業者網に備え、前記ＦＡＸ蓄積装置に前記発信端末からの前記ＦＡＸ情報を蓄積した後に、前記ＦＡＸ蓄積装置から前記着信端末に当該ＦＡＸ情報を送信するＦＡＸ通信網サービスを提供する通信システムに用いられる通信方法であって、前記発側の加入者サーバが、前記発信端末から発信され前記発側のＩＰ変換装置によりプロトコル変換された前記第１の発呼ＩＰ信号を受信し、前記第１の発呼ＩＰ信号に前記ＦＡＸ通信網サービスの利用を示す所定の信号が付されている場合に、前記第１の発呼ＩＰ信号を、前記サービス提供事業者網の前記中継サーバに送信し、前記中継サーバが、前記第１の発呼ＩＰ信号に前記所定の信号が付されている場合に、前記網外アプリケーションサーバに前記ＦＡＸ蓄積装置のルーチング情報の取得要求を送信し、前記網外アプリケーションサーバが、前記ＦＡＸ蓄積装置の前記ルーチング情報を記憶する記憶部を備え、前記ルーチング情報の取得要求を受信すると、前記記憶部から前記ＦＡＸ蓄積装置のルーチング情報を抽出して前記中継サーバに送信し、前記中継サーバが、前記ルーチング情報に基づき、前記第１の発呼ＩＰ信号を、前記ＦＡＸ蓄積装置を収容する加入者サーバに送信し、前記ＦＡＸ蓄積装置を収容する加入者サーバが、前記ＦＡＸ通信網サービスの利用契約を結んでいる前記発信端末の発信端末番号が登録された加入者情報を記憶する記憶部を備え、前記第１の発呼ＩＰ信号を受信すると、前記第１の発呼信号を送信した前記発信端末の発信端末番号が、前記加入者情報に登録されているか否かを判定し、前記発信端末の発信端末番号が、前記加入者情報に登録されている場合に、前記第１の発呼ＩＰ信号を、前記ＦＡＸ蓄積装置に送信し、前記ＦＡＸ蓄積装置が、前記第１の発呼ＩＰ信号に着信端末番号が付されている場合に、当該着信端末番号を、前記ＦＡＸ情報の送信先となる前記着信端末の着信端末番号に設定し、前記発信端末からＦＡＸ情報を受信し、当該ＦＡＸ蓄積装置の記憶部に記憶し、前記設定した着信端末の着信端末番号に基づき、前記第２の発呼ＩＰ信号を、前記ＦＡＸ蓄積装置を収容する加入者サーバ、前記着側の加入者サーバ、および前記着側のＩＰ変換装置を介して、前記着信端末に送信し、前記着信端末が、前記着側のＩＰ変換装置によりプロトコル変換された前記第２の発呼信号を受信して、前記ＦＡＸ蓄積装置の前記記憶部に記憶された前記ＦＡＸ情報を取得することを特徴とする通信方法とした。
【００２０】
このようにすることで、ＩＰ網において、ファクシミリ通信網サービスを提供する通信方法を提供することができる。特に、発信端末が通信事業者のＩＰ網に収容され、ＦＡＸ蓄積装置がサービス提供事業者のＩＰ網に収容される場合に、サービス提供事業者のＩＰ網内に設けられた中継サーバが、網外アプリケーションサーバからＦＡＸ蓄積装置のルーチング情報を取得し、そのルーチング情報に基づき、発呼信号をＦＡＸ蓄積装置に向けて送信することができる。
【発明の効果】
【００２１】
本発明によれば、ＩＰ網において、ファクシミリ通信網サービスを提供することができる通信方法および通信システムを提供することができる。
【図面の簡単な説明】
【００２２】
【図１】本実施形態に係るファクシミリ通信網サービスを提供する通信システムの構成を示す図である。
【図２】本実施形態に係るファクシミリ通信網サービスを通信事業者自身が提供する場合の通信システムの構成を示す図である。
【図３】本実施形態のＩＰ網でのファクシミリ通信網サービスにおける、発信端末からＦＡＸ蓄積装置への接続処理（ａ方法）の説明図である。
【図４】本実施形態のＩＰ網でのファクシミリ通信網サービスにおける、発信端末からＦＡＸ蓄積装置への接続処理（ｂ方法）の説明図である。
【図５】本実施形態のＩＰ網でのファクシミリ通信網サービスにおける、ＦＡＸ蓄積装置から着信端末へのＦＡＸ情報送信処理の説明図である。
【図６】本実施形態のＩＰ網でのファクシミリ通信網サービスにおける、ＦＡＸ蓄積装置から着信端末へのＦＡＸ情報送信処理の流れを示すシーケンス図である。
【図７】本実施形態におけるＩＰ網のＦＡＸ蓄積装置からＰＳＴＮの着信端末へのＦＡＸ送信処理（直接ルーチング）の説明図である。
【図８】本実施形態におけるＩＰ網のＦＡＸ蓄積装置からＰＳＴＮの着信端末へのＦＡＸ送信処理（リルーチング）の説明図である。
【図９】本実施形態におけるＩＰ網のＦＡＸ蓄積装置からＰＳＴＮの着信端末へのＦＡＸ情報送信処理（直接ルーチング）の流れを示すシーケンス図である。
【図１０】本実施形態におけるＩＰ網のＦＡＸ蓄積装置からＰＳＴＮの着信端末へのＦＡＸ情報送信処理（リルーチング）の流れを示すシーケンス図である。
【図１１】本実施形態におけるＰＳＴＮのＦＡＸ蓄積装置からＩＰ網の着信端末へのＦＡＸ送信処理（直接ルーチング）の説明図である。
【図１２】本実施形態におけるＰＳＴＮのＦＡＸ蓄積装置からＩＰ網の着信端末へのＦＡＸ送信処理（リルーチング）の説明図である。
【図１３】本実施形態におけるＰＳＴＮのＦＡＸ蓄積装置からＩＰ網の着信端末へのＦＡＸ情報送信処理（直接ルーチング）の流れを示すシーケンス図である。
【図１４】本実施形態におけるＰＳＴＮのＦＡＸ蓄積装置からＩＰ網の着信端末へのＦＡＸ情報送信処理（リルーチング）の流れを示すシーケンス図である。
【図１５】従来のＰＳＴＮにおけるファクシミリ通信網サービスのシステム構成およびＦＡＸ蓄積装置への接続処理の説明図である。
【図１６】従来のＰＳＴＮのファクシミリ通信網サービスにおける、ＦＡＸ蓄積装置７からのＦＡＸ情報送信処理の説明図である。
【発明を実施するための形態】
【００２３】
次に、本発明を実施するための形態（「実施形態」という）について、適宜図面を参照しながら詳細に説明する。
【００２４】
≪システム構成≫
図１は、本実施形態に係るファクシミリ通信網サービスを提供する通信システムの構成を示す図である。図１に示すように、本通信システムは、ＩＰ網に、加入者サーバ１（１ａ，１ｃ）と、ＩＰ変換装置４（４ａ）と、そのＩＰ変換装置４（４ａ）に接続される端末５（発信端末５ａ）と、網内アプリケーションサーバ（ＡＳ）２と、網外アプリケーションサーバ（ＡＳ）３と、中継サーバ６と、ＩＰ網対応のＦＡＸ蓄積装置７とを備えて構成される。なお、発側の加入者サーバ１ａ、発側のＩＰ変換装置４ａ、発信端末５ａおよび網内ＡＳ２は、本ファクシミリ通信網サービスのサービス提供事業者とは異なる通信事業者の通信事業者網内に収容され、網外ＡＳ３、ＦＡＸ蓄積装置７、およびＦＡＸ蓄積装置７を収容する加入者サーバ１ｃは、ファクシミリ通信網サービスを提供するサービス提供事業者網内に収容されているものとする。
【００２５】
この加入者サーバ１、網内ＡＳ２、網外ＡＳ３、中継サーバ６、およびＦＡＸ蓄積装置７は、入出力部、処理部、記憶部を備えるコンピュータにより実現される。入出力部は、入出力インタフェースから構成される。処理部は、この各サーバが備えるＣＰＵ（Central Processing Unit）によるプログラム実行処理や、専用回路等により実現される。また、記憶部は、ＲＡＭ（Random Access Memory）、ハードディスク、フラッシュメモリ等の記憶手段による実現される。なお、これらのサーバをプログラム処理により実現する場合、記憶部には、このサーバの機能を実現するためのプログラムが格納される。
【００２６】
端末５（発信端末５ａ）は、インタフェースがメタル回線である端末であり、ダイヤル番号の送出やＦＡＸ情報の送受信を行う送受信部を備える。なお、発信端末５ａは、前記した（Ａ方式）の着信端末５ｂの指定方法の場合は、ファクシミリ通信網サービスの利用を要求する所定の番号（１ＸＹ，００ＸＹ等）に続けて着信端末番号（０Ａ〜Ｊ）を発信する（第１の発呼信号）。また、（Ｂ方式）の着信端末５ｂの指定方法の場合は、所定の番号（１ＸＹ，００ＸＹ等）のみを発信する（第１の発呼信号）。
【００２７】
ＩＰ変換装置４（４ａ）は、メタル回線による端末５を収容し、端末５(発信端末５ａ)からの呼制御信号や音声信号をＩＰ網上で使用される信号にプロトコル変換する装置であり、局設置であっても、ユーザ宅内に設置であってもよい。
【００２８】
なお、図１には不図示であるが、通信事業者網内において、ＦＡＸ蓄積装置７からのＦＡＸ情報を受信する着信端末５ｂが、着側のＩＰ変換装置４（４ｂ）を介して着側の加入者サーバ１（１ｂ）に接続されている（後記する図５参照）。
以下、ＩＰ網内に設けられる各装置について具体的に説明する。
【００２９】
（加入者サーバ）
加入者サーバ１は、ＩＰ変換装置４、網内ＡＳ２、中継サーバ６、ＦＡＸ蓄積装置７等に接続され、呼設定信号（発呼信号）や応答信号の送信先を決定しルーチング処理を行う装置である。この加入者サーバ１の機能は、発信端末５ａを収容する加入者サーバ（発）１ａと、ＦＡＸ蓄積装置７を収容する加入者サーバ１ｃと、着信端末５ｂを収容する加入者サーバ（着）１ｂとで、通話終了通知サービスにおける機能が異なるため、分けて説明する。
【００３０】
（加入者サーバ（発））
加入者サーバ（発）１ａは、呼接続制御部１１と、サービス判定部１２とを備える。
【００３１】
呼接続制御部１１は、呼設定信号（発呼信号）や応答信号等の送信先を決定し、入出力部（不図示）を介して送受信する制御を行う。具体的には、呼接続制御部１１は、ＩＰ変換装置４（４ａ）から受信した呼設定信号（第１の発呼ＩＰ信号）を、中継サーバ６を介して、ＦＡＸ蓄積装置７を収容する加入者サーバ１ｃに送信する。
【００３２】
サービス判定部１２は、ＩＰ変換装置４ａから受信した呼設定信号に、ファクシミリ通信網サービスの利用を要求する所定の番号（１ＸＹ，００ＸＹ等）が付されているか否かを判定する。そして、サービス判定部１２は、所定の番号が付されていると判定した場合には、呼設定信号の送信先となるＦＡＸ蓄積装置７のルーチング情報を取得するため、網内ＡＳ２にその呼設定信号を送信する。
【００３３】
（ＦＡＸ蓄積装置を収容する加入者サーバ）
ＦＡＸ蓄積装置７を収容する加入者サーバ１ｃは、呼接続制御部１１と、加入者判定部１３と、記憶部（不図示）内に加入者情報１４とを備える。なお、呼接続制御部１１の機能は、加入者サーバ（発）１ａ内の呼接続制御部１１と同様であるため、説明を省略する。
【００３４】
加入者判定部１３は、加入者サーバ（発）１ａから、中継サーバ６を経由して、ファクシミリ通信網サービスの利用を要求する所定の番号（１ＸＹ，００ＸＹ等）が付された呼設定信号を受信すると、その呼設定信号を発信した発信端末５ａの発信端末番号が、記憶部に記憶された加入者情報１４に、サービス契約者の端末番号として登録されており、サービス利用可の状態であるかを判定する。そして、加入者判定部１３は、サービス利用可であると判定したときに、呼接続制御部１１を介して、呼設定信号を、ＦＡＸ蓄積装置７に送信する。
【００３５】
加入者情報１４には、ファクシミリ通信網サービスの利用契約を結んでいる端末の端末番号が記憶される。また、その端末番号毎に、利用者の設定またはサービス提供者の設定により、現在のサービス利用の可否が登録される。
【００３６】
（加入者サーバ（着））
加入者サーバ（着）１ｂは、呼接続制御部１１を含んで構成される。呼接続制御部１１は、加入者サーバ（発）１ａの呼接続制御部１１と同様の機能を備える。この加入者サーバ（着）１ｂは、ＦＡＸ蓄積装置７から、加入者サーバ１ｃ、中継サーバ６を介して受信した呼設定信号を、着信端末５ｂを収容するＩＰ変換装置４ｂに送信し、ＩＰ変換装置４ｂからの応答信号をＦＡＸ蓄積装置７に向けて送信する。
【００３７】
（網内ＡＳ）
網内ＡＳ２は、サービス提供事業者網内の網外ＡＳ３からＦＡＸ蓄積装置７へのルーチング情報を取得し、加入者サーバ（発）１ａに送信する装置であり、接続処理部２１と、信号変換部２２と、網外ＡＳ情報抽出部２３と、記憶部（不図示）内に網外ＡＳ情報２４とを備える。
【００３８】
接続処理部２１は、加入者サーバ（発）１ａから受信した呼設定情報を、後記する網外ＡＳ情報抽出部２３が抽出した網外ＡＳ情報２４に基づき、網外ＡＳ３に送信することによりＦＡＸ蓄積装置７の着信番号を示すルーチング情報を要求する。そして、接続処理部２１は、網外ＡＳ３から受信したルーチング情報が付された応答信号を加入者サーバ（発）１ａに送信する。
【００３９】
信号変換部２２は、加入者サーバ（発）１ａから受信した呼設定信号を、網外ＡＳ３で用いられるサービス提供事業者網の信号に変換し、網外ＡＳ３から受信した信号を、通信事業者網の信号に変換する。
【００４０】
網外ＡＳ情報抽出部２３は、記憶部に記憶された網外ＡＳ３のアドレス情報である網外ＡＳ情報２４を抽出して接続処理部２１に引き渡す。
【００４１】
網外ＡＳ情報２４は、網外ＡＳ３のアドレス情報が記憶される。
【００４２】
（網外ＡＳ）
網外ＡＳ３は、通信事業者網内の網内ＡＳ２からの要求に基づき、ＦＡＸ蓄積装置７へのルーチング情報３２を送信する装置であり、接続先抽出部３１と、記憶部（不図示）内にルーチング情報３２とを備える。
【００４３】
接続先抽出部３１は、網内ＡＳ２からの要求に基づき、ＦＡＸ蓄積装置７のルーチング情報３２を抽出して、網内ＡＳ２に返信する。ルーチング情報３２は、ＦＡＸ蓄積装置７へのルーチングについての情報が記憶される。
なお、網外ＡＳ３は、サービス提供事業者網内の中継サーバ６から、ＦＡＸ蓄積装置７のルーチング情報３２の取得要求があった場合も、ルーチング情報３２を抽出して、その中継サーバ６に返信する（詳細は後記参照）。
【００４４】
（中継サーバ）
中継サーバ６は、加入者サーバ１や他の中継サーバ６と接続され、呼設定信号や応答信号を中継する処理を行う。また、通信事業者網とサービス提供事業者網との間に設定される中継サーバ（ＩＰ関門）６ａは、前記した網内ＡＳ２の信号変換部２２と同様の機能を有する信号変換部を備え、通信事業者網の信号とサービス提供事業者網の信号とを相互変換する。
【００４５】
（ＦＡＸ蓄積装置）
ＦＡＸ蓄積装置７は、発信端末５ａから受信したＦＡＸ情報を蓄積し、着信端末５ｂに送信する装置であり、ＦＡＸ情報受信処理部７１と、着信端末情報取得部７２と、ＦＡＸ情報送信制御部７３と、無鳴動着信指示部７４と、記憶部（不図示）内にＦＡＸ情報蓄積部７５とを備える。
【００４６】
ＦＡＸ情報受信処理部７１は、発信端末５ａからのＦＡＸ情報を受信し、ＦＡＸ情報蓄積部７５に記憶する。
【００４７】
着信端末情報取得部７２は、（Ａ方式）の着信端末５ｂの指定方法の場合は、加入者サーバ１ｃからの呼設定信号に付された着信端末番号を取得し、その着信端末番号を発信端末５ａから送信されＦＡＸ情報蓄積部７５に記憶したＦＡＸ情報の送信先に設定する。
また、（Ｂ方式）の着信端末５ｂの指定方法の場合は、その呼設定信号を発信した発信端末５ａにガイダンス（ユーザにダイヤルを促す信号等）を出力し、発信端末５ａからの後続ダイヤル（例えば、記憶部に予め登録した１つ以上の着信端末番号の指定や、１つ以上の着信端末番号の入力等）により、着信端末番号を取得し、その着信端末番号を発信端末５ａから送信されＦＡＸ情報蓄積部７５に記憶したＦＡＸ情報の送信先に設定する。
【００４８】
ＦＡＸ情報送信制御部７３は、着信端末５ｂに向けて呼設定信号（第２の発呼ＩＰ信号）を送信し、ＦＡＸ情報を送信する制御を行う。具体的には、ＦＡＸ情報送信制御部７３は、不図示の記憶部内に予め登録されたサービス契約者毎の設定により、指定時間に着信端末５ｂに向けてＦＡＸ情報を送信したり、複数の着信端末５ｂに、同時に送信したり(同報)、通話中であった着信端末５ｂに再発信したりする制御を行う。
【００４９】
無鳴動着信指示部７４は、ＦＡＸ情報送信制御部７３が着信端末５ｂに向けて、呼設定信号を送信する際に、着信端末５ｂに無鳴動で接続するための情報を呼設定信号に付加する。
【００５０】
ＦＡＸ情報蓄積部７５は、サービス契約者の端末番号（発信端末番号）と関連付けて、発信端末５ａから受信したＦＡＸ情報を記憶する。
【００５１】
なお、ＦＡＸ蓄積装置７の記憶部（不図示）には、前記したように、サービス契約者の端末番号（発信端末番号）に関連付けて、ＦＡＸ情報の送信先である１つ以上の着信端末５ｂの着信端末番号や、ＦＡＸ情報の送信時刻を指定する情報等が記憶される。
【００５２】
また、図１に示した通信システムにおいて、加入者サーバ（発）１ａと網内ＡＳ２とは、同一の機器にその機能をまとめて配備し、本ファクシミリ通信網サービスを提供することが可能である。
【００５３】
さらに、図１においては、ファクシミリ通信網サービスを提供するサービス提供事業者網と、発信端末５ａおよび着信端末５ｂ等を収容する通信事業者網とが異なる事業者の場合について説明した。これに対し、通信事業者自身が単独でファクシミリ通信網サービスを提供する場合は、図１に示した、加入者サーバ（発）１ａ、網内ＡＳ２、網外ＡＳ３の機能を同一の機器にまとめることが可能である。例えば、図２に示すように、加入者サーバ（発）１ａに、図１の網外ＡＳ３が備えていた接続先抽出部３１およびルーチング情報３２を備えさせることで、本ファクシミリ通信網サービスを実現することができる。また、図２のシステムにおいて、加入者サーバ（発）１ａと接続される網内ＡＳ２を設けて、この接続先抽出部３１およびルーチング情報３２の機能を備えさせるようにしてもよい。
【００５４】
≪処置手順≫
次に、図１を参照しつつ、本実施形態に係るファクシミリ通信網サービスの処理手順を説明する。まず、（１）発信端末５ａ、ＦＡＸ蓄積装置７、着信端末５ｂ等がすべてＩＰ網内に収容される場合を説明し、次に、ＩＰ網とＰＳＴＮが接続され、（２）ＩＰ網内のＦＡＸ蓄積装置７から、ＰＳＴＮ内の着信端末５ｂにＦＡＸ情報を送信する場合、（３）ＰＳＴＮ内のＦＡＸ蓄積装置７から、ＩＰ網内の着信端末５ｂにＦＡＸ情報を送信する場合について説明する。
なお、ＩＰ網内で用いられるセッション制御プロトコルとして、ＳＩＰ（Session Initiation Protocol）を例に説明するが、これに限定されず、Ｈ．３２３等他のプロトコルでも適用可能である。
【００５５】
＜（１）発信端末５ａ、ＦＡＸ蓄積装置７、着信端末５ｂがＩＰ網に収容される場合＞
（ＦＡＸ蓄積装置への接続処理）
まず、発信端末５ａおよびＦＡＸ蓄積装置７が、ＩＰ網に収容される場合のＦＡＸ蓄積装置７への接続処理について説明する。
なお、発信端末５ａからＦＡＸ蓄積装置７への接続処理は、ＦＡＸ蓄積装置７へのルーチング情報３２を、サービス提供事業者網内の網外ＡＳ３から取得する方法として、通信事業者網内の網内ＡＳ２が取得する方法（以下、「ａ方法」とする）と、サービス提供事業者網内の中継サーバ６が取得する方法（以下、「ｂ方法」とする）とがある。以下、この２つの方法について説明する。
【００５６】
〔発信端末からＦＡＸ蓄積装置への接続処理（ａ方法）〕
図３は、本実施形態のＩＰ網でのファクシミリ通信網サービスにおける、発信端末５ａからＦＡＸ蓄積装置７への接続処理（ａ方法）の説明図である。
【００５７】
まず、発信端末５ａからファクシミリ通信網サービスの利用を要求する所定の番号（１ＸＹ，００ＸＹ等）を受信したＩＰ変換装置４ａは、加入者サーバ（発）１ａに向けて、呼設定信号（INVITE）（第１の発呼ＩＰ信号）を送信する（Ｓ１０１）。なお、発信端末５ａにおいて（Ａ方式）の着信端末５ｂの指定方法が用いられた場合、ＩＰ変換装置４ａは、呼設定信号に着信端末番号を付して加入者サーバ（発）１ａに送信する。
【００５８】
呼設定信号を受信した加入者サーバ(発)１ａのサービス判定部１２は、呼設定信号に付された所定の番号により、ファクシミリ通信網サービスの利用を要求する発呼であると判定し、網内ＡＳ２にその呼設定信号を送信する（Ｓ１０２）。
【００５９】
呼設定信号を受信した網内ＡＳ２の網外ＡＳ情報抽出部２３は、ＦＡＸ蓄積装置７のルーチング情報３２を記憶する網外ＡＳ３の網外ＡＳ情報２４を抽出し、信号変換部２２によりサービス提供事業者網内で用いられる信号に変換して網外ＡＳ３に送信する（Ｓ１０３）。
【００６０】
網内ＡＳ２からの信号を受信した網外ＡＳ３の接続先抽出部３１は、ＦＡＸ蓄積装置７のルーチング情報３２を抽出して、網内ＡＳ２へ通知する（Ｓ１０４）。
【００６１】
網内ＡＳ２は、受信したルーチング情報３２を用いて、呼設定信号を、加入者サーバ（発）１ａ、中継サーバ６経由で、サービス提供事業者網においてＦＡＸ蓄積装置７を収容する加入者サーバ１ｃにルーチングを行う（Ｓ１０５）。
【００６２】
ＦＡＸ蓄積装置７を収容する加入者サーバ１ｃの加入者判定部１３は、加入者情報１４を用いて加入者判定を行う（Ｓ１０６）。具体的には、その呼設定信号を発信した発信端末５ａの発信端末番号が、加入者情報１４にサービス契約者の端末番号として登録されており、サービス利用可の状態であるかを判定する。加入者判定部１３は、サービス利用可であると判定したときに、呼設定信号をＦＡＸ蓄積装置７に送信する。
【００６３】
そして、呼設定信号を受信したＦＡＸ蓄積装置７の着信端末情報取得部７２は、（Ａ方式）の着信端末５ｂの指定方法の場合は、呼設定信号に付された着信端末番号を取得し、その着信端末番号を、ＦＡＸ情報の送信先に設定する。続いて、発信端末５ａとＦＡＸ蓄積装置７が接続され、ＦＡＸ情報受信処理部７１が発信端末５ａからＦＡＸ情報を受信し（Ｓ１０７）、ＦＡＸ情報蓄積部７５に記憶する。
【００６４】
これに対し、ＦＡＸ蓄積装置７の着信端末情報取得部７２は、（Ｂ方式）の着信端末５ｂの指定方法の場合は、発信端末５ａとＦＡＸ蓄積装置７との接続後に、ガイダンス（ユーザにダイヤルを促す信号等）を出力し、後続ダイヤルで指定された着信端末番号を、ＦＡＸ情報の送信先に設定する。そして、ＦＡＸ情報受信処理部７１が発信端末５ａからＦＡＸ情報を受信し、ＦＡＸ情報蓄積部７５に記憶する。
このようにすることで、発信端末５ａからのＦＡＸ情報を、ＦＡＸ蓄積装置７に記憶することができる。
【００６５】
なお、図２に示したように、通信事業者自身が単独でファクシミリ通信網サービスを提供する場合には、図３に示したＳ１０２において、呼設定信号に付された所定の番号により、ファクシミリ通信網サービスの利用を要求する発呼であると判定すると、加入者サーバ（発）１ａ自身が備える接続先抽出部３１が、自身の記憶部に記憶されたＦＡＸ蓄積装置７のルーチング情報３２を抽出する。そして、加入者サーバ（発）１ａは、呼設定信号を、抽出したルーチング情報３２に基づき、中継サーバ６経由で、ＦＡＸ蓄積装置７を収容する加入者サーバ１ｃにルーチングを行う。
そして、図３のＳ１０６およびＳ１０７と同様の処理を行い、ＦＡＸ蓄積装置７が発信端末５ａからＦＡＸ情報を受信し記憶する。
【００６６】
このようにすることで、通信事業者自身が単独でファクシミリ通信網サービスを提供する場合においても、発信端末５ａからのＦＡＸ情報を、ＦＡＸ蓄積装置７に記憶することができる。
【００６７】
〔発信端末からＦＡＸ蓄積装置への接続処理（ｂ方法）〕
図４は、本実施形態のＩＰ網でのファクシミリ通信網サービスにおける、発信端末５ａからＦＡＸ蓄積装置７への接続処理（ｂ方法）の説明図である。図４に示した通信システムにおいては、サービス提供事業者網内の中継サーバ６（６ｂ）が、網外ＡＳ情報抽出部２３および網外ＡＳ情報２４を備え、網外ＡＳ３にＦＡＸ蓄積装置７へのルーチング情報３２を要求して、そのルーチング情報３２を取得することを特徴とする。
なお、以下、図３に示したＦＡＸ蓄積装置７への接続処理（ａ方法）との差分について説明する。
【００６８】
Ｓ２０２において、呼設定信号を受信した加入者サーバ(発)１ａのサービス判定部１２は、呼設定信号に付された所定の番号により、ファクシミリ通信網サービスの利用を要求する発呼であると判定し、その呼設定信号を、中継サーバ６（６a）を介して、サービス提供事業者網の中継サーバ６ｂに送信する。
【００６９】
呼設定信号を受信したサービス提供事業者網の中継サーバ６ｂは、呼設定信号に付された所定の番号により、ファクシミリ通信網サービスの利用を要求する発呼であると判定し、網外ＡＳ情報抽出部２３が網外ＡＳ情報２４を抽出し、呼設定信号を網外ＡＳ３に送信する（Ｓ２０３）。
【００７０】
中継サーバ６ｂからの信号を受信した網外ＡＳ３の接続先抽出部３１は、ＦＡＸ蓄積装置７のルーチング情報３２を抽出して、中継サーバ６ｂへ通知する（Ｓ２０４）。
【００７１】
中継サーバ６ｂは、ルーチング情報３２を用いて、呼設定信号をＦＡＸ蓄積装置７を収容する加入者サーバ１ｃにルーチングする（Ｓ２０５）。
【００７２】
以下は、図３のＳ１０６およびＳ１０７と同様の処理を行って、発信端末５ａからＦＡＸ情報を受信する（Ｓ２０６，Ｓ２０７）。
このようにすることで、発信端末５ａからのＦＡＸ情報を、ＦＡＸ蓄積装置７に記憶することができる。
【００７３】
（ＦＡＸ蓄積装置からのＦＡＸ情報送信処理）
次に、ＦＡＸ蓄積装置７および着信端末５ｂが、ＩＰ網に収容される場合のＦＡＸ蓄積装置７から着信端末５ｂへのＦＡＸ情報の送信処理について説明する。なお、図５において処理の概要を説明し、図６において、処理シーケンスを具体的に説明する。
【００７４】
図５は、本実施形態のＩＰ網でのファクシミリ通信網サービスにおける、ＦＡＸ蓄積装置７から着信端末５ｂへのＦＡＸ情報送信処理の説明図である。
【００７５】
ＦＡＸ蓄積装置７のＦＡＸ情報送信制御部７３は、サービス契約者毎の設定に基づき、着信端末情報取得部７２が設定した着信端末番号を付した呼設定信号（第２の発呼ＩＰ信号）を、着信端末５ｂに向けて送信する（Ｓ３０１）。その際、無鳴動着信が設定されている場合には、無鳴動着信指示部７４が、呼設定信号に無鳴動で接続するための情報（無鳴動着信指示）を付加して送信する。
【００７６】
サービス提供事業者網の加入者サーバ１ｃ、中継サーバ６、通信事業者網の加入者サーバ（着）１ｂを介して呼設定信号を受信したＩＰ変換装置４ｂは、呼設定信号に無鳴動着信指示が付されている場合に、着信端末５ｂに対して無鳴動での着信を行う（Ｓ３０２）。
【００７７】
そして、ＦＡＸ蓄積装置７と着信端末５ｂとが接続されると、ＦＡＸ蓄積装置７のＦＡＸ情報送信制御部７３は、ＦＡＸ情報蓄積部７５に記憶されたＦＡＸ情報を抽出し、着信端末５ｂに送信する（Ｓ３０３）。
【００７８】
なお、図２に示した通信事業者自身が単独でファクシミリ通信網サービスを提供する場合においても、図５のＳ３０１〜Ｓ３０３と同様の処理を行う。これにより、通信事業者網における、ＦＡＸ蓄積装置７を収容する加入者サーバ１ｃ、中継サーバ６、加入者サーバ（着）１ｂ、およびＩＰ変換装置４ｂを介して、ＦＡＸ蓄積装置７と着信端末５ｂとが接続され、ＦＡＸ蓄積装置７から着信端末５ｂにＦＡＸ情報が送信される。
【００７９】
次に、図５に示した、ＦＡＸ蓄積装置７から着信端末５ｂへのＦＡＸ情報送信処理の具体的な信号処理の流れを説明する。なお、ここでは、ＦＡＸ蓄積装置７の無鳴動着信指示部７４により、呼設定信号に無鳴動着信指示が付されるものとして説明する。
図６は、本実施形態のＩＰ網でのファクシミリ通信網サービスにおける、ＦＡＸ蓄積装置７から着信端末５ｂへのＦＡＸ情報送信処理の流れを示すシーケンス図である。
【００８０】
まず、ＦＡＸ蓄積装置７は、呼設定信号（INVITE）に無鳴動着信指示を設定し、サービス提供事業者網の加入者サーバ１ｃ、中継サーバ６、中継サーバ（ＩＰ関門）６ａ、加入者サーバ（着）１ｂを経由してＩＰ変換装置４ｂへ送信する（Ｓ４０１〜Ｓ４０５）。
【００８１】
次に、ＩＰ変換装置４ｂは、無鳴動着信指示が設定された呼設定信号を受信すると、着信端末５ｂに対して無鳴動着信（ＩＲ無）を通知する（Ｓ４０６）。そして、着信端末５ｂが呼出中であることを通知する呼出信号（180）を、呼設定信号が経由した機器を逆に辿る経路でＦＡＸ蓄積装置７に向けて送信する（Ｓ４０７〜Ｓ４１１）。
【００８２】
続いて、ＩＰ変換装置４ｂは、着信端末５ｂのOFFHOOKを検知すると（Ｓ４１２）、着信端末５ｂの応答を通知する応答信号（200）をＦＡＸ蓄積装置７に向けて送信する（Ｓ４１３〜Ｓ４１７）。
【００８３】
そして、ＦＡＸ蓄積装置７は、応答信号（200）を受信すると、応答確認信号（ACK）をＩＰ変換装置４ｂに向けて送信する（Ｓ４１８〜Ｓ４２２）。
【００８４】
ＩＰ変換装置４ｂが応答確認信号（ACK）を受信すると、ＦＡＸ蓄積装置７と着信端末５ｂとの間に通話パスが設定され（通話中）、ＦＡＸ蓄積装置７は着信端末５ｂに対して発信端末５ａから受信したＦＡＸ情報を送信する（Ｓ４２３）。
【００８５】
ＦＡＸ蓄積装置７は、着信端末５ｂに対してＦＡＸ情報の送信を終えると、通話を終了し、通話パスを切断するために切断信号（BYE）を、ＩＰ変換装置４ｂに向けて送信する（Ｓ４２４，Ｓ４２５，Ｓ４２７，Ｓ４２９，Ｓ４３１）。この際、経由する機器は各々、切断信号（BYE）を転送後に切断信号（BYE）を送信してきた直前の機器に対して切断応答信号（200）を送信する（Ｓ４２６，Ｓ４２８，Ｓ４３０，Ｓ４３２，Ｓ４３３）。
【００８６】
そして、ＩＰ変換装置４ｂが切断信号（BYE）を受信すると、着信端末５ｂがONHOOKすることで着側操作は完了となる（Ｓ４３４）。
【００８７】
このようにすることで、ＦＡＸ蓄積装置７に記憶したＦＡＸ情報を、着信端末５ｂに送信することができる。
【００８８】
＜（２）ＩＰ網内のＦＡＸ蓄積装置７からＰＳＴＮ内の着信端末５ｂへＦＡＸ情報送信＞
次に、ＩＰ網と従来のＰＳＴＮが接続された通信システムにおいて、着信端末５ｂがＰＳＴＮに収容されているため、ＩＰ網内のＦＡＸ蓄積装置（ＩＰ）７からＰＳＴＮ内の着信端末５ｂにＦＡＸ情報を送信する場合について説明する。
【００８９】
図７および図８は、本実施形態におけるＩＰ網のＦＡＸ蓄積装置７からＰＳＴＮの着信端末５（５ｂ）へのＦＡＸ送信処理の説明図である。なお、この図７および図８に示す通信事業者網（ＩＰ網）の加入者サーバ（管理元）１（１ｄ）には、その通信事業者網に収容される着信端末５ｂの収容先情報（ルーチング情報）が登録されている。
ＩＰ網内のＦＡＸ蓄積装置７からＰＳＴＮ内の着信端末５ｂにＦＡＸ情報の送信をする場合、図７および図８に示すように、まず、ＦＡＸ蓄積装置７は、呼設定信号を、着信端末５ｂの収容先情報を管理する通信事業者網の加入者サーバ（管理元）１（１ｄ）に送信する。そして、着信端末５ｂの収容先情報を取得して、着信端末５ｂにルーチングを行う。この加入者サーバ（管理元）１ｄから着信端末５ｂにルーチングする方法として、以下の２つの方法がある。
【００９０】
（直接ルーチング）
図７に示すように、加入者サーバ（管理元）１ｄから、通信事業者網内で、中継サーバ（ＩＰ／ＰＳＴＮ関門）６ｄ（関門中継サーバ）、ＩＣ（関門）６０ａ、ＩＣ６０を経由して、着信端末５ｂを収容するＧＣ（着）１０ｂにルーチングする。以下、この方法を、「直接ルーチング」とよぶことがある。つまり、加入者サーバ（管理元）１ｄから、収容先情報を取得した後に、サービス提供事業者網に呼設定信号を返信しないルーチング方法である。
【００９１】
（リルーチング）
図８に示すように、加入者サーバ（管理元）１ｄから、中継サーバ（ＩＰ関門）６ｄを経由して、一旦、サービス提供事業者網の中継サーバ６（転送中継サーバ）に返信してから、通信事業者網（ＰＳＴＮ）内の中継サーバ（ＰＳＴＮ関門）６（６ｃ）、ＩＣ６０を経由して、着信端末５ｂを収容するＧＣ（着）１０ｂにルーチングする。以下、この方法を、一旦、サービス提供事業者網に呼設定信号を返信することから、「リルーチング」とよぶことがある。
【００９２】
この２つのルーチング方法を用いたＦＡＸ送信処理の流れを具体的に説明する。
【００９３】
図９は、本実施形態におけるＩＰ網のＦＡＸ蓄積装置７からＰＳＴＮの着信端末５ｂへのＦＡＸ情報送信処理（直接ルーチング）の流れを示すシーケンス図である。なお、以下、ＦＡＸ蓄積装置７の無鳴動着信指示部７４により、呼設定信号に無鳴動着信指示が付されるものとして説明する。
【００９４】
まず、ＦＡＸ蓄積装置（ＩＰ）７は、呼設定信号（INVITE）（第２の発呼ＩＰ信号）に無鳴動着信指示を設定し、その呼設定信号（INVITE）を、サービス提供事業者網の加入者サーバ１ｃ、中継サーバ６、通信事業者網の中継サーバ（ＩＰ／ＰＳＴＮ関門）６ｄ（関門中継サーバ）、を経由して加入者サーバ（管理元）１ｄへ送信する（Ｓ５０１〜Ｓ５０４）。
【００９５】
次に、加入者サーバ（管理元）１ｄは、呼設定信号（INVITE）を受信すると、着信端末５ｂの収容先を通知する呼転送情報通知信号（301）を中継サーバ（ＩＰ／ＰＳＴＮ関門）６ｄへ送信する（Ｓ５０５）。
【００９６】
そして、呼転送情報通知信号（301）を受信した中継サーバ（ＩＰ／ＰＳＴＮ関門）６ｄは、ＩＰ信号とＰＳＴＮの呼設定信号とのプロトコル変換を行い、ＩＣ（関門）６０ａへ再呼設定信号（IAM）を送信する（Ｓ５０６）。
【００９７】
続いて、ＩＣ（関門）６０ａは、再呼設定信号（IAM）を受信すると、着信端末５ｂを収容するＧＣ（着）１０ｂへ呼設定信号（IAM）を送信する（Ｓ５０７，Ｓ５０８）。
【００９８】
次に、呼設定信号（IAM）を受信したＧＣ（着）１０ｂは、着信端末５ｂに対して無鳴動着信を通知する（Ｓ５０９）。その後、着信端末５ｂが呼出中であることを通知する呼出信号（CPG）をＦＡＸ蓄積装置７に対して、呼設定信号が経由した機器を逆に辿る経路で送信する（Ｓ５１０〜Ｓ５１５）。
【００９９】
そして、ＧＣ（着）１０ｂは、着信端末５ｂのOFFHOOKを検知すると（Ｓ５１６）、着信端末５ｂの応答を通知する応答信号（ANM）をＦＡＸ蓄積装置７に向けて送信する（Ｓ５１７〜Ｓ５２２）。応答信号（200）を受信したＦＡＸ蓄積装置７は、加入者サーバ１ｃ、中継サーバ６を経由して中継サーバ（ＩＰ／ＰＳＴＮ関門）６ｄへ応答確認信号（ACK）を送信する（Ｓ５２３〜Ｓ５２５）。
【０１００】
ＦＡＸ蓄積装置７が応答確認信号（ACK）を送信すると、ＦＡＸ蓄積装置７と着信端末５ｂとの間に通話パスが設定され（通話中）、ＦＡＸ蓄積装置７は着信端末５ｂに対して発信端末５ａから受信したＦＡＸ情報を送信する（Ｓ５２６）。
【０１０１】
そして、ＦＡＸ蓄積装置７は、着信端末５ｂに対してＦＡＸ情報の送信を終えると、通話パスを切断するためにＧＣ（着）１０ｂに向けて切断信号（BYE）を送信し、切断応答信号を受信する（Ｓ５２７〜Ｓ５３８）。続いて、ＧＣ（着）１０ｂが切断信号（REL）を受信すると、着信端末５ｂがONHOOKすることで着側操作は完了となる（Ｓ５３９）。
【０１０２】
図１０は、本実施形態におけるＩＰ網のＦＡＸ蓄積装置７からＰＳＴＮの着信端末５ｂへのＦＡＸ情報送信処理（リルーチング）の流れを示すシーケンス図である。
【０１０３】
まず、ＦＡＸ蓄積装置（ＩＰ）７は、呼設定信号（INVITE）（第２の発呼ＩＰ信号）に無鳴動着信指示を設定し、その呼設定信号（INVITE）を、加入者サーバ１ｃ、中継サーバ６（転送中継サーバ）、通信事業者網の中継サーバ（ＩＰ関門）６ｄ、を経由して加入者サーバ（管理元）１ｄへ送信する（Ｓ６０１〜Ｓ６０４）。
【０１０４】
次に、加入者サーバ（管理元）１ｄは、呼設定信号（INVITE）を受信すると、着信端末５ｂの収容先を通知する呼転送情報通知信号（301）を中継サーバ（ＩＰ関門）６ｄを経由してサービス提供事業者網の中継サーバ６（転送中継サーバ）へ送信する（Ｓ６０５，Ｓ６０６）。
【０１０５】
そして、呼転送情報通知信号（301）を受信した中継サーバ６は、中継サーバ（ＰＳＴＮ関門）６ｃへ再呼設定信号（INVITE）を送信する（Ｓ６０７）。
【０１０６】
続いて、中継サーバ（ＰＳＴＮ関門）６ｃは、ＩＰ信号とＰＳＴＮの呼設定信号とのプロトコル変換を行い、ＩＣ６０を経由して着信端末５ｂを収容するＧＣ（着）１０ｂに対して呼設定信号（IAM）を送信する（Ｓ６０８，Ｓ６０９）。
【０１０７】
次に、呼設定信号（IAM）を受信したＧＣ（着）１０ｂは、着信端末５ｂに対して無鳴動着信を通知する（Ｓ６１０）。その後、着信端末５ｂが呼出中であることを通知する呼出信号（CPG）を、ＦＡＸ蓄積装置７に対して、呼設定信号が経由した機器を逆に辿る経路で送信する（Ｓ６１１〜Ｓ６１５）。
【０１０８】
そして、ＧＣ（着）１０ｂは、着信端末５ｂのOFFHOOKを検知すると（Ｓ６１６）、着信端末５ｂの応答を通知する応答信号（ANM）をＦＡＸ蓄積装置７に向けて送信する（Ｓ６１７〜Ｓ６２１）。応答信号（200）を受信したＦＡＸ蓄積装置７は、加入者サーバ１ｃ、中継サーバ６を経由して中継サーバ（ＰＳＴＮ関門）６ｃへ応答確認信号（ACK）を送信する（Ｓ６２２〜Ｓ６２４）。
【０１０９】
ＦＡＸ蓄積装置７が応答確認信号（ACK）を送信すると、ＦＡＸ蓄積装置７と着信端末５ｂとの間に通話パスが設定され（通話中）、ＦＡＸ蓄積装置７は着信端末５ｂに対して発信端末５ａから受信したＦＡＸ情報を送信する（Ｓ６２５）。
【０１１０】
そして、ＦＡＸ蓄積装置７は、着信端末５ｂに対してＦＡＸ情報の送信を終えると、通話パスを切断するためにＧＣ（着）１０ｂに向けて切断信号（BYE）を送信し、切断応答信号を受信する（Ｓ６２６〜Ｓ６３５）。続いて、ＧＣ（着）１０ｂが切断信号（REL）を受信すると、着信端末５ｂがONHOOKすることで着側操作は完了となる（Ｓ６３６）。
【０１１１】
このようにすることで、ＩＰ網内のＦＡＸ蓄積装置７からＰＳＴＮ内の着信端末５ｂにＦＡＸ情報の送信をすることができる。
【０１１２】
＜（３）ＰＳＴＮ内のＦＡＸ蓄積装置７からＩＰ網内の着信端末５ｂにＦＡＸ情報送信＞
次に、ＩＰ網と従来のＰＳＴＮが接続された通信システムにおいて、ＰＳＴＮ内のＦＡＸ蓄積装置７からＩＰ網内の着信端末５ｂにＦＡＸ送信する場合について説明する。なお、この場合においても、以下に示す直接ルーチングとリルーチングの２つの方法がある。
【０１１３】
図１１および図１２は、本実施形態におけるＰＳＴＮのＦＡＸ蓄積装置７からＩＰ網の着信端末５ｂへのＦＡＸ送信処理の説明図である。図１１および図１２に示す通信事業者網（ＰＳＴＮ）のＧＣ（加入者交換機）（管理元）１０（１０ｄ）には、その通信事業者網に収容される着信端末５ｂの収容先情報（ルーチング情報）が登録されている。
【０１１４】
図１１は、着信端末５ｂの収容先情報を管理する通信事業者網のＧＣ（管理元）１０ｄからＩＰ網内の着信端末５ｂに、呼設定信号を送信する場合、通信事業者網内で、ＩＣ６０ｄ、ＩＣ（関門）６０ａ、中継サーバ（ＰＳＴＮ関門）６ｃ（関門中継サーバ）を経由して、着信端末５ｂを収容する加入者サーバ１ｂにルーチングする方法を示す（直接ルーチング）。つまり、一旦、サービス提供事業者網に、呼設定信号を返信する処理を行わない方法である。
【０１１５】
図１２は、ＧＣ（管理元）１０ｄからＩＰ網内の着信端末５ｂに、呼設定信号を送信する場合に、ＩＣ６０ｄを経由して、一旦、サービス提供事業者網のサービス提供事業者交換機７０に返信してから、通信事業者網（ＩＰ網）内の中継サーバ（ＰＳＴＮ関門）６ｃ（関門中継サーバ）を経由して、着信端末５ｂを収容する加入者サーバ（着）１ｂにルーチングする方法を示す（リルーチング）。
【０１１６】
この２つのルーチング方法を用いたＦＡＸ送信処理の流れを具体的に説明する。
【０１１７】
図１３は、本実施形態におけるＰＳＴＮのＦＡＸ蓄積装置７からＩＰ網の着信端末５ｂへのＦＡＸ情報送信処理（直接ルーチング）の流れを示すシーケンス図である。
【０１１８】
まず、ＦＡＸ蓄積装置（ＰＳＴＮ）７は、呼設定信号（SETUP）（発呼信号）をサービス提供事業者交換機７０に送信する（Ｓ７０１）。
【０１１９】
呼設定信号（SETUP）を受信したサービス提供事業者交換機７０は、着信端末５ｂの収容先情報を得るためにＩＣ６０ｄを経由してＧＣ（管理元）１０ｄへ呼設定信号（IAM）を送信する（Ｓ７０２，Ｓ７０３）。
【０１２０】
次に、呼設定信号（IAM）を受信したＧＣ（管理元）１０ｄは、ＩＣ６０ｄに対して切断信号（REL）を送信し（Ｓ７０４）、ＧＣ（管理元）１０ｄとＩＣ６０ｄとの間の呼設定を切断し、ＩＣ６０ｄに着信端末５ｂの収容先に接続するためのルーチング情報を通知する。
【０１２１】
そして、ＩＣ６０ｄは、ＧＣ（管理元）１０ｄより通知されたルーチング情報を設定した再呼設定信号（IAM）を、ＩＣ（関門）６０ａ経由で中継サーバ（ＰＳＴＮ関門）６ｃに送信する（Ｓ７０５，Ｓ７０６）。
【０１２２】
続いて、再呼設定信号（IAM）を受信した中継サーバ（ＰＳＴＮ関門）６ｃ（関門中継サーバ）は、ＰＳＴＮの呼設定信号とＩＰ信号とのプロトコル変換を行い、加入者サーバ（着）１ｂに対して呼設定信号（INVITE）を送信する（Ｓ７０７）。
【０１２３】
次に、中継サーバ（ＰＳＴＮ関門）６ｃより呼設定信号（INVITE）を受信した加入者サーバ（着）１ｂは、ＩＰ変換装置４ｂへ呼設定信号（INVITE）を送信する（Ｓ７０８）。
【０１２４】
そして、呼設定信号（INVITE）を受信したＩＰ変換装置４ｂは、着信端末５ｂに対して無鳴動着信を通知する（Ｓ７０９）。その後、ＦＡＸ蓄積装置７に着信端末５ｂが呼び出し中であることを通知するため、呼出信号（180）を呼設定信号が経由した機器を逆に辿る経路で送信する（Ｓ７１０〜Ｓ７１５）。
【０１２５】
続いて、ＩＰ変換装置４ｂは、着信端末５ｂのOFFHOOKを検知すると（Ｓ７１６）、着信端末５ｂの応答を通知する応答信号（200）をＦＡＸ蓄積装置７に向けて送信する（Ｓ７１７〜Ｓ７２２）。応答信号（200）を受信した中継サーバ（ＰＳＴＮ関門）６ｃは、加入者サーバ（着）１ｂを経由してＩＰ変換装置４ｂへ応答確認信号（ACK）を送信する（Ｓ７２３，Ｓ７２４）。
【０１２６】
そして、ＦＡＸ蓄積装置７が応答信号（CONN）を受信すると、ＦＡＸ蓄積装置７と着信端末５ｂとの間に通話パスが設定され（通話中）、ＦＡＸ蓄積装置７は、着信端末５ｂに対して発信端末５ａより受信したＦＡＸ情報を送信する（Ｓ７２５）。
【０１２７】
次に、ＦＡＸ蓄積装置７は、着信端末５ｂに対してＦＡＸ情報の送信を終えると、通話パスを切断するためにＩＰ変換装置４ｂに向けて切断信号（DISC）を送信し、切断応答信号を受信する（Ｓ７２６〜Ｓ７３７）。続いて、ＩＰ変換装置４ｂが切断信号（BYE）を受信すると、着信端末５ｂがONHOOKすることで着側操作は完了となる（Ｓ７３８）。
【０１２８】
図１４は、本実施形態におけるＰＳＴＮのＦＡＸ蓄積装置７からＩＰ網の着信端末５ｂへのＦＡＸ情報送信処理（リルーチング）の流れを示すシーケンス図である。
【０１２９】
まず、ＦＡＸ蓄積装置（ＰＳＴＮ）７は、呼設定信号（SETUP）（発呼信号）をサービス提供事業者交換機７０に送信する（Ｓ８０１）。
【０１３０】
次に、呼設定信号（SETUP）を受信したサービス提供事業者交換機７０は、着信端末５ｂの収容先情報を得るために、ＩＣ６０ｄを経由してＧＣ（管理元）１０ｄへ呼設定信号（IAM）を送信する（Ｓ８０２，Ｓ８０３）。
【０１３１】
次に、呼設定信号（IAM）を受信したＧＣ（管理元）１０ｄは、ＩＣ６０ｄを経由してサービス提供事業者交換機７０に切断信号（REL）を送信し（Ｓ８０４，Ｓ８０５）、ＧＣ（管理元）１０ｄとサービス提供事業者交換機７０との間の呼設定を切断し、サービス提供事業者交換機７０に着信端末５ｂの収容先に接続するためのルーチング情報を通知する。
【０１３２】
そして、サービス提供事業者交換機７０は、切断信号（REL）を受信すると、中継サーバ（ＰＳＴＮ関門）６ｃへ、再呼設定信号（IAM）を送信する（Ｓ８０６）。
【０１３３】
続いて、中継サーバ（ＰＳＴＮ関門）６ｃ（関門中継サーバ）は、ＰＳＴＮの呼設定信号とＩＰ信号とのプロトコル変換を行い、加入者サーバ（着）１ｂに対して呼設定信号（INVITE）を送信する（Ｓ８０７）。
【０１３４】
次に、中継サーバ（ＰＳＴＮ関門）６ｃより呼設定信号（INVITE）を受信した加入者サーバ（着）１ｂは、ＩＰ変換装置４ｂへ呼設定信号（INVITE）を送信する（Ｓ８０８）。
【０１３５】
そして、呼設定信号（INVITE）を受信したＩＰ変換装置４ｂは、着信端末５ｂに対して無鳴動着信を通知する（Ｓ８０９）。その後、ＩＰ変換装置４ｂは、ＦＡＸ蓄積装置７に着信端末５ｂを呼び出し中であることを通知するため、呼出信号（180）を呼設定信号が経由した機器を逆に辿る経路で送信する（Ｓ８１０〜Ｓ８１３）。
【０１３６】
続いて、ＩＰ変換装置４ｂは、着信端末５ｂのOFFHOOKを検知すると（Ｓ８１４）、着信端末５ｂの応答を通知する応答信号（200）をＦＡＸ蓄積装置７に対して送信する（Ｓ８１５〜Ｓ８１８）。応答信号（200）を受信した中継サーバ（ＰＳＴＮ関門）６ｃは、加入者サーバ（着）１ｂを経由してＩＰ変換装置４ｂへ応答確認信号（ACK）を送信する（Ｓ８１９，Ｓ８２０）。
【０１３７】
そして、ＦＡＸ蓄積装置７が応答信号（CONN）を受信すると、ＦＡＸ蓄積装置７と着信端末５ｂとの間に通話パスが設定され（通話中）、ＦＡＸ蓄積装置７は、着信端末５ｂに対して発信端末５ａより受信したＦＡＸ情報を送信する（Ｓ８２１）。
【０１３８】
次に、ＦＡＸ蓄積装置７は、着信端末５ｂに対してＦＡＸ情報の送信を終えると、通話パスを切断するためにＩＰ変換装置４ｂに向けて切断信号（DISK）を送信し、切断応答信号を受信する（Ｓ８２２〜Ｓ８２９）。続いて、ＩＰ変換装置４ｂが切断信号（BYE）を受信すると、着信端末５ｂがONHOOKすることで着側操作は完了となる（Ｓ８３０）。
【０１３９】
このようにすることで、ＰＳＴＮ内のＦＡＸ蓄積装置７からＩＰ網内の着信端末５ｂにＦＡＸ情報の送信をすることができる。
【０１４０】
以上のように、本実施形態に係る通信方法および通信システムによれば、ＩＰ網においてファクシミリ通信網サービスを提供することができる。また、ＩＰ網と既存のＰＳＴＮとが接続される場合においても、ファクシミリ通信網サービスを提供することが可能となる。
【符号の説明】
【０１４１】
１      加入者サーバ
２      網内ＡＳ（アプリケーションサーバ）
３      網外ＡＳ（アプリケーションサーバ）
４      ＩＰ変換装置
５      端末（発信端末，着信端末）
６      中継サーバ
７      ＦＡＸ蓄積装置
１０    ＧＣ（加入者交換機）
３０    サービス制御装置
６０    ＩＣ（中継交換機）
７０    サービス提供事業者交換機
【図１】
2011244168.tif 000003
【図２】
2011244168.tif 000004
【図３】
2011244168.tif 000005
【図４】
2011244168.tif 000006
【図５】
2011244168.tif 000007
【図６】
2011244168.tif 000008
【図７】
2011244168.tif 000009
【図８】
2011244168.tif 000010
【図９】
2011244168.tif 000011
【図１０】
2011244168.tif 000012
【図１１】
2011244168.tif 000013
【図１２】
2011244168.tif 000014
【図１３】
2011244168.tif 000015
【図１４】
2011244168.tif 000016
【図１５】
2011244168.tif 000017
【図１６】
2011244168.tif 000018